【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
赤、緑、青の三原色の光のうち、第１の色の光および第２の色の光を透過させる第１のカラーフィルタと、前記三原色の光のうち、前記第２の色の光および第３の色の光を透過させる第２のカラーフィルタとを画素ごとに備え、前記三原色のうちの第１の色に対応する第１映像信号、第２の色に対応する第２映像信号、および第３の色に対応する第３映像信号に応じた映像を表示する表示パネルと；
伝達される第１発光信号に基づいて、前記三原色の光のうちの前記第２の色の光、または、前記三原色の光のうちの前記第１の色の光および前記第３の色の光を、第１入力光として前記表示パネルに入力する第１の発光部と；
伝達される第２発光信号に基づいて、前記三原色の光のうちの前記第１入力光以外の色の光を第２入力光として前記表示パネルに入力する第２の発光部と；
前記第１の発光部を発光させるための前記第１発光信号と、前記第２の発光部を発光させるための前記第２発光信号と、入力された前記第１映像信号、前記第２映像信号、および前記第３映像信号のうちの前記第１入力光に対応する色の映像信号と、入力された前記第１映像信号、前記第２映像信号、および前記第３映像信号のうちの前記第２入力光に対応する色の映像信号とを、選択的に出力する発光制御部と；
を備え、
前記発光制御部は、
第１サブフレームと第２サブフレームとに分割された１フレーム期間のうち前記第１サブフレームには、前記第１の発光部への前記第１発光信号の出力と、前記表示パネルへの前記第１入力光に対応する色の映像信号の出力とを同期して行い、
前記第２サブフレームには、前記第２の発光部への前記第２発光信号の出力と、前記表示パネルへの前記第２入力光に対応する色の映像信号の出力とを同期して行う、表示装置。
【請求項２】
前記三原色の光のうちの前記第２の色の光を前記表示パネルに入力する前記第１の発光部、または前記第２の発光部は、前記第２の色の光を発光する光源を有し、
前記三原色の光のうちの前記第１の色の光および前記第３の色の光を前記表示パネルに入力する前記第１の発光部、または前記第２の発光部は、前記第１の色の光を発光する光源と、光が入力されると前記第３の色の出力光を出力する前記第３の色の蛍光体とを有する、請求項１に記載の表示装置。
【請求項３】
前記第１の色の光を発光する光源と前記第２の色の光を発光する光源とは、赤の光を発光する光源、緑の光を発光する光源、および青の光を発光する光源のうちの、発光輝度の経時劣化速度の相対的な差がより小さい２つの光源である、請求項２に記載の表示装置。
【請求項４】
前記第１の色の光を発光する光源は、緑の光を発光する緑色発光ダイオード、または青の光を発光する青色発光ダイオードのうちの一方の発光ダイオードであり、
前記第２の色の光を発光する光源は、前記緑色発光ダイオード、または前記青色発光ダイオードのうちの他方の発光ダイオードであり、
前記第３の色の蛍光体は、赤の出力光を出力する赤の蛍光体である、請求項３に記載の表示装置。
【請求項５】
前記第１のカラーフィルタは、青の光および緑の光を透過させるシアンフィルタ、または、赤の光および緑の光を透過させるイエローフィルタのうちの一方のカラーフィルタであり、
前記第２のカラーフィルタは、前記シアンフィルタ、または、前記イエローフィルタのうちの他方のカラーフィルタである、請求項１〜４のいずれか１項に記載の表示装置。
【請求項６】
入力される映像信号に基づいて、前記第１映像信号、前記第２映像信号、および前記第３映像信号を生成する映像信号処理部をさらに備え、
前記発光制御部には、前記映像信号処理部が生成した前記第１映像信号、前記第２映像信号、および前記第３映像信号が入力される、請求項１〜４のいずれか１項に記載の表示装置。
【請求項７】
第１サブフレームと第２サブフレームとに分割された１フレーム期間のうちの前記第１サブフレームにおいて、入力された映像信号に応じた映像を表示する表示パネルに対して赤、緑、青の三原色の光のうちの第２の色の光、または、前記三原色の光のうちの第１の色の光および第３の色の光を第１入力光として入力させるための第１発光信号を、第１発光部に伝達する第１ステップと；
前記第１ステップにおける前記第１発光信号の伝達と同期して、前記第１入力光に対応する色の映像信号を前記表示パネルに伝達する第２ステップと；
前記第２サブフレームにおいて、前記表示パネルに対して前記三原色の光のうちの前記第１入力光以外の色の光を第２入力光として入力させるための第２発光信号を、第２発光部に伝達する第３ステップと；
前記第３ステップにおける前記第２発光信号の伝達と同期して、前記第２入力光に対応する色の映像信号を前記表示パネルに伝達する第４ステップと；
を有し、
前記表示パネルは、前記三原色の光のうち、前記第１の色の光および前記第２の色の光を透過させる第１のカラーフィルタと、前記三原色の光のうち、前記第２の色の光および前記第３の色の光を透過させる第２のカラーフィルタとを画素ごとに備え、
前記第１発光部は、前記第１ステップにおいて伝達される第１発光信号に基づいて前記第１入力光を前記表示パネルに入力し、
前記第２発光部は、前記第３ステップにおいて伝達される第２発光信号に基づいて、前記第２入力光を前記表示パネルに入力する、表示方法。
【請求項８】
入力される映像信号に基づいて、赤、緑、青の三原色のうちの第１の色に対応する第１映像信号、第２の色に対応する第２映像信号、および第３の色に対応する第３映像信号を生成する映像信号処理部と；
前記映像信号処理部において生成された前記第１映像信号、前記第２映像信号、前記第３映像信号に基づく映像を表示する表示部と；
を備え、
前記表示部は、
前記三原色の光のうち、第１の色の光および第２の色の光を透過させる第１のカラーフィルタと、前記三原色の光のうち、前記第２の色の光および第３の色の光を透過させる第２のカラーフィルタとを画素ごとに備え、伝達される前記第１映像信号、前記第２映像信号、前記第３映像信号に応じた映像を表示する表示パネルと；
伝達される第１発光信号に基づいて、前記三原色の光のうちの前記第２の色の光、または、前記三原色の光のうちの前記第１の色の光および前記第３の色の光を、第１入力光として前記表示パネルに入力する第１の発光部と；
伝達される第２発光信号に基づいて、前記三原色の光のうちの前記第１入力光以外の色の光を第２入力光として前記表示パネルに入力する第２の発光部と；
前記第１の発光部を発光させるための前記第１発光信号と、前記第２の発光部を発光させるための前記第２発光信号と、前記映像信号処理部が生成した前記第１映像信号、前記第２映像信号、および前記第３映像信号のうちの前記第１入力光に対応する色の映像信号と、前記映像信号処理部が生成した前記第１映像信号、前記第２映像信号、および前記第３映像信号のうちの前記第２入力光に対応する色の映像信号とを、選択的に出力する発光制御部と；
を備え、
前記発光制御部は、
第１サブフレームと第２サブフレームとに分割された１フレーム期間のうち前記第１サブフレームには、前記第１の発光部への前記第１発光信号の出力と、前記表示パネルへの前記第１入力光に対応する色の映像信号の出力とを同期して行い、
前記第２サブフレームには、前記第２の発光部への前記第２発光信号の出力と、前記表示パネルへの前記第２入力光に対応する色の映像信号の出力とを同期して行う、電子機器。